(57)【要約】【課題】特別な部品を使用することなく、串刺しした魚や肉を同時に綺麗に焼くことができるコンロを提供するものである。【解決の手段】内筒と外筒から成る二重構造のコンロであって、前記内筒には火源を置き、前記外筒と内筒との間に魚や肉等を串刺した串を差し込む複数個の穴を明けたプレートが取付けられている串焼き用コンロである。【選択図】図１
2004081783.tif 000002
【特許請求の範囲】
【請求項１】
内筒と外筒から成るコンロであって、前記内筒内には炭火等を置くプレートが設けられ、前記外筒と内筒との間に魚や肉等を串刺した串を差し込むための複数の孔を明けたプレートが設けられていることを特徴とした串焼き用コンロ。
【請求項２】
内筒の下部には、炭又は炭火を片付ける保存可能なように底板が取付けられていることを特徴とした請求項１記載の串焼き用コンロ。
【請求項３】
内筒内の金網上炭火の上方に、焼肉や焼きそば等を調理する鉄板が架設できるように手段を講じたことを特徴とした請求項１又は２記載の串焼き用コンロ。
【請求項４】
内筒の側面には空気孔が設けられていて、炭火の燃焼エアーが串刺しを差し込む孔から、前記内筒の孔を通り、炭火に供給されるような構造にしたことを特徴とした請求項１、２又は３記載の串焼き用コンロ。
【請求項５】
外筒と内筒の側面に空気口が設けられていることを特徴とした請求項１乃至４いずれか１項記載の串焼き用コンロ。
【請求項６】
請求項１記載の串焼き用コンロの炭火等を置く金網に代えて、ガスコンロが装着可能な構造にしたことを特徴とした串焼き用コンロ。
【発明の詳細な説明】
【０００１】
【発明の属する技術分野】
本発明は、例えば、魚や肉を串刺した串を火源の周辺に立てて、焼くことができるコンロに関するものである。
【０００２】
【従来の技術】
コンロには使用目的に応じて機能性を高めるべく様々なアイデアが提案されている。例えば、特願（２０００−２１１３３３）では焼網上で焼肉などの調理ができると共に、魚や肉などに突き刺した焼串をコンロの周りに多くの部品を使って立てて焼けるようにしている。
【０００３】
【発明が解決しようとする課題】
しかしながら、串を立てるのに特別な部品が必要であり、又、片付ける際には、これらの部品を取り外さなければならない煩わしい面があると思える。
そこで、本発明で各種の串を、特別な部品を使用することなく容易に立てることが出来、しかも、綺麗に焼けるコンロを提供するものである。
【０００４】
【課題を解決するための手段】
本発明は、外筒と内筒から成るコンロであって、前記内筒内には炭火等を置くプレート（金網）が設けられ、前記外筒と内筒との間に魚や肉等を串刺した串を差し込むための複数の孔を明けたプレートが設けられている串焼き用コンロである。
【０００５】
尚、上記の構造をより詳細に説明する。
１・串を差し込む孔は大小数種類の穴が複数個明けておくと、数種の串を差すことが出来るので便利である。
２・内筒の下部には、炭または炭火を片付け保存することが可能なように底板を取付けられている串焼き用コンロであること。尚、底板に断熱材を貼り付けると外部に熱が伝わらないので安全である。
３・内筒内の金網上炭火の上方に焼肉や焼そば等の調理する鉄板を架設する手段を内筒に講じるか、又は五徳等を載せるスペースが金網周辺に設けられている串焼き用コンロであること。
４・内筒の側面には複数個の空気孔が設けられていて、炭火の燃焼エアーが串刺しを差し込む孔から、前記内筒の孔を通り、炭に供給されるように構造とした串焼き用コンロとか、又は、外筒と内筒の側面に四方に空気口を設け、好ましくは、この開口部を開閉する蓋を設けて空気量を調整可能にした串焼き用コンロや。
５・炭火に代えて、ガスコンロが装着可能にして、プロパンガスを火源とした串焼き用コンロを提供するものである。
【０００６】
【発明の実施の形態】
本発明は、上述の如く、内筒と外筒から成る二重構造のコンロであって、前記内筒内には火源を置き、前記外筒と内筒との間に魚や肉等を串刺した串を差し込むための複数の孔を明けたプレートが取付けられている焼き用コンロである。
【０００７】
【実施例】
本発明の第一実施例を図１、図２に示す。
内筒（１）の側面に複数の空気孔（２）を明けられていて、その上部に炭火を載せる金網（３）が反らないように受板（４）で受けている。金網（３）は取外し可能で、使用済みの炭火を片付ける際には、底板（５）上に落とすようにしてある。底板（５）は上げ底にしておき、熱が下部に伝わらないようにした。
外筒（６）と内筒（１）の間には、魚や肉を刺した串（７）を差し込み立てる孔（８）が大小複数個明けたプレート（９）を取付けてある。
本実施例の場合、炭火の燃焼エアーの一部は差し込み孔（８）から内筒の空気孔（２）を通って炭の下部から供給される、このエアーは外筒と内筒間で暖められるので熱効率上効果があるものと考えられる。
【０００８】
第２実施例を図３、図４に示す。
内筒（１）の側面には空気口（１０）を四方に設け、且つ、蓋（１１）を上下動可能に取付けて空気量を調整できるようにした。
中央部には第一実験例の如く金網（３）や底板（５）を設けた。更に、焼肉や焼そばを調理するための鉄板（１２）（図示せず）を置く受け金具（１３）を取り外し可能に筒（１）の上部縁部に取付けた。
他の対応策として図示しないが、内筒をある程度突出させてもよい。
外筒（６）と内筒（１）の間には第一例の如く串（７）差し込むプレート（９）を取付けた。
尚、外筒（６）の側面には空気口（１０）を設けた。この開口部には蓋（１４）を左右動可能に取付けて空気量を調整する手段を講じた。
【０００９】
第３実施例を図５に示す。
詳細な構造は略するが、炭火の代わりに、ガスコンロ（１５）を装着したものである。このコンロは、例えば、室内の換気が悪く炭火を使用すると一酸化中毒にかかる恐れがある時などに、本実施例のようにガスコンロを金網部に載せて使用すればよい。
【０００１０】
その他の実施例として図示しないが、五徳を火源の上部に載せ焼肉用鉄板（１２）を載せてもよいし、風のある時にはコンロの周りに風除け用つい立を立てるとよい。
【０００１１】
【発明の効果】
本発明は特別な部品を使うことなく、上述のように魚や肉等を串刺して一度に多く焼くこともでき、外側に倒せば保温状態にもできる。
又使用済み炭火を下部に落せば保存でき便利である。
燃焼エアーも外筒と内筒の間で暖められるので燃焼効率も期待できる。
更に、焼肉や焼そばの調理にも利用できるなど、多くの利点があって画期的なコンロである。
【図面の簡単な説明】
【図１】本発明の第１実施例の斜視図を示す。
【図２】本発明の第１実施例の正面断面斜視図を示す。
【図３】本発明の第２実施例の斜視図を示す。
【図４】本発明の第２実施例の正面断面斜視図を示す。
【図５】本発明の第３実施例の斜視図を示す。
【符号の説明】
１．内筒　　　　　　　　　２．空気孔
３．金網　　　　　　　　　４．受板
５．底板　　　　　　　　　６．外筒
７．串　　　　　　　　　　８．孔
９．プレート　　　　　　１０．空気口
１１．内筒の蓋　　　　　　１２．鉄板（図示せず）
１３．受け金具　　　　　　１４．外筒の蓋
１５．ガスコンロ　　　　　１６．串焼き用コンロ
【図１】
2004081783.tif 000003
【図２】
2004081783.tif 000004
【図３】
2004081783.tif 000005
【図４】
2004081783.tif 000006
【図５】
2004081783.tif 000007